(57)【要約】      （修正有）【課題】履物の甲部を上方向に拡張することができる履物矯正具を提供する。【解決手段】履物を使用者の足の形状になじむよう矯正する履物矯正具であって、履物Ｓの甲部Ｉの内面に当接する甲当て部１０と、履物の踵部Ｈの内面に当接する踵当て部２０と、甲当て部と踵当て部の間隔を拡縮する拡縮機構３０とを備え、拡縮機構によって甲当て部と踵当て部の間隔が拡幅することにより甲当て部が履物の甲部の内面を押圧する。拡縮機構３０は、甲当て部の上部を回動可能に支持するとともに踵当て部を支持する上側支持部３１と、上側支持部を貫通するねじ杆３２と、内周面に設けられたねじ溝がねじ杆に螺合する態様で上側支持部の下方に設けられた下側支持部３３と、一方端が下側支持部に回動可能に支持され、他方端が甲当て部に回動可能に支持されるリンク部３４とを備える。【選択図】図３
0003213418.tif 000002
【実用新案登録請求の範囲】
【請求項１】
履物を使用者の足の形状になじむよう矯正する履物矯正具であって、
前記履物の甲部の内面に当接する甲当て部と、
前記履物の踵部の内面に当接する踵当て部と、
前記甲当て部と前記踵当て部の間隔を拡縮する拡縮機構とを備え、
前記拡縮機構によって前記甲当て部と前記踵当て部の間隔が拡幅することにより前記甲当て部が前記履物の甲部の内面を押圧することを特徴とする履物矯正具。
【請求項２】
前記拡縮機構は、
前記甲当て部の上部を回動可能に支持するとともに前記踵当て部を支持する上側支持部と、
前記上側支持部を貫通するねじ杆と、
内周面にねじ溝が設けられ、該ねじ溝が前記ねじ杆に螺合する態様で前記ねじ杆の前記上側支持部より下方側に設けられた下側支持部と、
一方端が前記下側支持部に回動可能に支持され、他方端が前記甲当て部に回動可能に支持されるリンク部とを備え、
前記ねじ杆が一方向に軸回転されると、前記上側支持部と前記下側支持部が次第に近接して、前記リンク部が前記ねじ杆に対する角度を増大させる方向に回動することにより、前記甲当て部の下部と前記踵当て部の間隔が拡幅する一方、
前記ねじ杆が他方向に軸回転されると、前記上側支持部と前記下側支持部が次第に離間して、前記リンク部が前記ねじ杆に対する角度を減少させる方向に回動することにより、前記甲当て部の下部と前記踵当て部の間隔が収縮する請求項１に記載の履物矯正具。
【請求項３】
前記リンク部は、前記甲当て部に取り付けられる第１リンク部と、該第１リンク部に回動可能に接続されるとともに前記下側支持部に取り付けられる第２リンク部を備え、
前記ねじ杆が一方向に軸回転されると、前記上側支持部と前記下側支持部が次第に近接して、前記第２リンク部が前記ねじ杆に対する角度を増大させる方向に回動しながら前記第１リンク部を押し上げることにより、前記第１リンク部により前記甲当て部が押し上げられて、前記甲当て部と前記踵当て部の間隔が拡幅する一方、
前記ねじ杆が他方向に軸回転されると、前記上側支持部と前記下側支持部が次第に離間して、前記第２リンク部が前記ねじ杆に対する角度を減少させる方向に回動しながら前記第１リンク部を引き下げることにより、前記第１リンク部により前記甲当て部が引き下ろされて、前記甲当て部と踵当て部の間隔が収縮する請求項２に記載の履物矯正具。
【考案の詳細な説明】
【技術分野】
【０００１】
本考案は、履物を使用者の足の形状になじむよう矯正する履物矯正具に関するものである。
【背景技術】
【０００２】
人の足は各人毎に異なる形状を有するため、従来は、履物を各人の足の形状に合わせて作成していた。ところが、近年、人口の増加と工業製品の量産化が進行したことによって、大勢の人が日頃サイズ毎に定まった形状の既製品の履物を履くようになった。
【０００３】
しかしながら、このような既製品の履物は各人の足の特性や形状を考慮することなく一律に製造されたものであるため、たとえ人が自分の足のサイズに合う履物を選んだとしても足に完全に合わない。従って、各人が新しい履物を履き始めると、履物と足の形状が合わないことにより足に痛みや水膨れが生じることがあった。とくに、革靴や革製のブーツ等固い履物を履く場合、このような足の痛みや水膨れが生じることが多かった。
【０００４】
このような足の痛みや水膨れを解消するためには、履物が足の形状になじむまで履き続けるか、履物を足の形状になじむよう矯正する必要があった。
【０００５】
そこで、従来、特許文献１に開示されているように、履物の爪先部に当接する前方型と、履物の踵部に当接する後方型と、前方型と後方型を連結する調節手段とを備え、前方型に対する後方型の離間距離を調節することにより、履物を前後方向に拡張する履物矯正器が開示されている。これによれば、履物を足の形状になじむよう強制的に前後方向に拡張することができる。
【先行技術文献】
【特許文献】
【０００６】
【特許文献１】特表２００３−５１８３９８号
【考案の概要】
【０００７】
しかしながら、特許文献１の履物矯正器は、履物を前後方向に拡張するものであるため、履物と使用者の足が前後方向に合わない場合に適用することができても、履物と使用者の足が上下方向に合わない場合に適用することはできなかった。人の足の形状は様々であるため、履物と使用者の足が上下方向に合わないケースは多々生じ、このような場合に履物矯正器を適用できないことは深刻な問題であった。
【考案が解決しようとする課題】
【０００８】
本考案は、上述の技術的背景に鑑みてなされたものであり、履物の甲部を上方向に拡張することができる履物矯正具を提供することを目的とする。
【課題を解決するための手段】
【０００９】
本考案は、上記目的を達成するために、履物を使用者の足の形状になじむよう矯正する履物矯正具であって、前記履物の甲部の内面に当接する甲当て部と、前記履物の踵部の内面に当接する踵当て部と、前記甲当て部と前記踵当て部の間隔を拡縮する拡縮機構とを備え、前記拡縮機構によって前記甲当て部と前記踵当て部の間隔が拡幅することにより前記甲当て部が前記履物の甲部の内面を押圧することを特徴とする。
【００１０】
これによれば、履物の甲部の内面に当接する甲当て部と履物の内側の踵部に当接する踵当て部の間隔を拡幅させることにより、甲当て部が履物の甲部の内面を上方向に押圧するため、履物の甲部を上方向に拡張することができる。
【００１１】
また、前記拡縮機構は、前記甲当て部の上部を回動可能に支持するとともに前記踵当て部を支持する上側支持部と、前記上側支持部を貫通するねじ杆と、内周面にねじ溝が設けられ、該ねじ溝が前記ねじ杆に螺合する態様で前記ねじ杆の前記上側支持部より下方側に設けられた下側支持部と、一方端が前記下側支持部に回動可能に支持され、他方端が前記甲当て部に回動可能に支持されるリンク部とを備え、前記ねじ杆が一方向に軸回転されると、前記上側支持部と前記下側支持部が次第に近接して、前記リンク部が前記ねじ杆に対する角度を増大させる方向に回動することにより、前記甲当て部の下部と前記踵当て部の間隔が拡幅する一方、前記ねじ杆が他方向に軸回転されると、前記上側支持部と前記下側支持部が次第に離間して、前記リンク部が前記ねじ杆に対する角度を減少させる方向に回動することにより、前記甲当て部の下部と前記踵当て部の間隔が収縮するのが好ましい。これによれば、ねじ杆を回動させることによって甲当て部と踵当て部の間隔が拡縮するため、甲当て部により履物の甲部の内面を非常に大きな力で押圧することができ、履物の甲部を上方向に確実に拡張することが可能となる。
【００１２】
また、前記リンク部は、前記甲当て部に取り付けられる第１リンク部と、該第１リンク部に回動可能に接続されるとともに前記下側支持部に取り付けられる第２リンク部を備え、前記ねじ杆が一方向に軸回転されると、前記上側支持部と前記下側支持部が次第に近接して、前記第２リンク部が前記ねじ杆に対する角度を増大させる方向に回動しながら前記第１リンク部を押し上げることにより、前記第１リンク部により前記甲当て部が押し上げられて、前記甲当て部と前記踵当て部の間隔が拡幅する一方、前記ねじ杆が他方向に軸回転されると、前記上側支持部と前記下側支持部が次第に離間して、前記第２リンク部が前記ねじ杆に対する角度を減少させる方向に回動しながら前記第１リンク部を引き下げることにより、前記第１リンク部により前記甲当て部が引き下ろされて、前記甲当て部と踵当て部の間隔が収縮するのが好ましい。これによれば、簡易な構成により簡単かつ確実に甲当て部を押し上げ、甲当て部により履物の甲部の内面を押圧することができる。
【考案の効果】
【００１３】
本考案によれば、履物の甲部の内面に当接する甲当て部と履物の踵部の内面に当接する踵当て部の間隔を拡幅させることにより、甲当て部が履物の甲部の内面を上方向に押圧するため、履物の甲部を上方向に拡張することができる。
【００１４】
このため、履物と使用者の足が上下方向に合わない場合に、履物を足の形状になじませることができ、足の各部、特に足の甲部や足裏に痛みや水膨れが生じることを防止することが可能となる。
【図面の簡単な説明】
【００１５】
【図１】拡縮機構が拡幅された履物矯正具の側面図である。
【図２】拡縮機構が収縮された履物矯正具の側面図である。
【図３】履物矯正具の使用状態を示す図である。
【図４】拡縮機構の拡大図である。
【考案を実施するための形態】
【００１６】
本考案に係る履物矯正具について図１〜図４を参照しつつ説明する。なお、本明細書において、「前」とは図１における左方向、「後」とは図１における右方向、「上」とは図１における上方向、「下」とは図１における下方向、「左」とは図１における手前方向、「右」とは図１における奥方向を指すものとする。  
【００１７】
履物矯正具１は、図１〜図２に示すように、履物Ｓの甲部Ｉの内面に当接する甲当て部１０と、履物Ｓの踵部Ｈの内面に当接する踵当て部２０と、甲当て部１０と踵当て部２０とを拡縮する拡縮機構３０とを備えている。この履物矯正具１は、図３に示すように、甲当て部１０と踵当て部２０を履物Ｓの開口部Ｏから履物Ｓの内部に差し入れて使用する。なお、本実施形態において、履物Ｓは革製のブーツである。
【００１８】
前記甲当て部１０は、固い金属製の型であり、前側が履物Ｓの甲部Ｉの内面に沿う形状、具体的には前方に突出する態様で湾曲した形状に形成されている。前記甲当て部１０は、左側面部、前側面部および右側面部によりゆるやかに湾曲した当接面部１０１が形成され、該当接面部１０１が前側に傾斜する態様で下方向に延びている。また、前記甲当て部１０は、左側面部、前側面部および右側面部が前方に突出する態様で湾曲することにより、後側に凹部１０２が形成されている。
【００１９】
また、前記甲当て部１０は、上側に設けられた甲当て上部１１と、下側に設けられた甲当て下部１２とからなる。なお、上述の凹部１０２は、甲当て上部１１から甲当て下部１２に亘って形成されている。
【００２０】
前記甲当て上部１１は、前側面部が小さく前側に傾斜しており、左側面部、前側面部および右側面部が履物Ｓの内側の足首部より上側に当接する。
【００２１】
また、前記甲当て上部１１は、上端部において左側面部から凹部１０２を経て右側面部に亘る軸部１１１が設けられており、この軸部１１１が後述する拡縮機構３０の上側支持部３１の貫通孔３１２に挿入されることにより、甲当て上部１１が上側支持部３１に回動可能に支持されている。
【００２２】
前記甲当て下部１２は、前側面部が大きく前側に傾斜しており、左側面部、前側面部および右側面部が履物Ｓの内側の足首部より下側に当接する。また、前記甲当て下部１２は、基端部１２１から先端部１２２に向かうに従い先細形状に形成されるとともに、基端部１２１において左側面部と右側面部が後側下方に突出した突出部１２３が形成されている。
【００２３】
また、前記甲当て下部１２は、図４に示すように、突出部１２３近傍の凹部１０２において後述する第１リンク部３４１がボルト３４１ｂにより取り付けられている。
【００２４】
前記踵当て部２０は、固い金属製の型であり、後側が履物Ｓの踵部Ｈの内面に沿う形状、具体的には後方に突出する態様で湾曲した形状に形成されている。前記踵当て部２０は、左側面部、後側面部および右側面部によりゆるやかに湾曲した当接面部２１が形成され、該当接面部２１がわずかに前側に傾斜する態様で下方向に延びている。また、踵当て部２０は、基端部２２から先端部２３に向かうに従い次第に先細となる形状に形成されている。
【００２５】
また、前記踵当て部２０は、左側面部、後側面部および右側面部が後方に突出する態様で湾曲することにより、前側に上下方向に延びる凹部２４が形成されている。この凹部２４は、後述する拡縮機構３０の下側支持部３３を案内するガイド突起２４１が上下方向に延びる態様で設けられている。
【００２６】
また、前記踵当て部２０は、上端部において凹部２４と連続する凹部２５が前側面部から後側面部に亘って設けられている。この凹部２５に後述する拡縮機構３０の上側支持部３１が挿入されるとともに上側支持部３１を貫通する態様でボルト３１１が挿入されることにより、踵当て部２０が上側支持部３１に固定されている。
【００２７】
前記拡縮機構３０は、図４に示すように、甲当て部１０と踵当て部２０を支持する上側支持部３１と、上側支持部３１に挿通されるねじ杆３２と、ねじ杆３２の上側支持部３１より下方側に設けられた下側支持部３３と、下側支持部３３と甲当て部１０の間に設けられたリンク部３４とを備える。この拡縮機構３０によって甲当て部１０と踵当て部２０の間隔が拡幅することにより甲当て部１０が履物Ｓの甲部Ｉの内面を押圧する。
【００２８】
前記上側支持部３１は、前側から後側に向けて延びる矩形状の金属製部材であって、前側が甲当て上部１１の凹部１０２上端に嵌め込まれるとともに後側が踵当て部２０の凹部２５に嵌め込まれ、上面から差し込まれたボルト３１１により踵当て部２０に固定されている。前記上側支持部３１は、中央部にねじ杆３２が上下方向に貫通する貫通孔３１２を有しており、貫通孔３１２はねじ杆３２と干渉しない大きさに形成されている。また、前記上側支持部３１は、前側に左右方向に延びる貫通孔３１３を有しており、貫通孔３１３に甲当て上部１１の軸部１１１が挿入される。
【００２９】
また、前記上側支持部３１は、上側に隣接して上側規制部材３１４が設けられるとともに、下側に隣接して下側規制部材３１５が設けられている。上側支持部３１は、この上側規制部材３１４と下側規制部材３１５によりねじ杆３２の軸方向（上下方向）への移動を規制されている。
【００３０】
前記ねじ杆３２は、基端部３２１から先端部３２２に延びる棒状の金属製部材であって、先端部３２２にねじ溝３２３が設けられている。また、ねじ杆３２は、図３に示すように、使用状態において、基端部３２１が履物Ｓの開口部Ｏから突出するとともに、該基端部３２１にＴ字状の取っ手３２４が設けられている。これによれば、基端部３２１に設けられている取っ手３２４を回動させることにより、ねじ杆３２を確実に回動させることができる。
【００３１】
前記下側支持部３３は、矩形状の金属製部材であって、踵当て部２０の前側に踵当て部２０に対して摺動可能に設けられている。下側支持部３３は、後端部の左側側面と右側側面に上下方向に延びるガイド溝３３１が設けられており、該ガイド溝３３１に踵当て部２０のガイド突起２４１が嵌って、下側支持部３３が踵当て部２０に上下方向に案内される。
【００３２】
また、前記下側支持部３３は、内周面にねじ溝３３２が設けられており、該ねじ溝３３２が前記ねじ杆３２のねじ溝３２３に螺合している。この下側支持部３３は、ねじ杆３２が一方向に軸回転されると、ねじ杆３２のねじ溝３２３を上側支持部３１の側に移動することにより、上側支持部３１に次第に近接してゆく。一方、下側支持部３３は、ねじ杆３２が他方向に軸回転されると、ねじ杆３２のねじ溝３２３を上側支持部３１の反対側に移動することにより、上側支持部３１から次第に離間してゆく。
【００３３】
前記下側支持部３３は、前側に前方に突出した板状の突出部３３３を備え、該突出部３３３に左右方向に貫通する貫通孔３３４が設けられている。下側支持部３３は、該貫通孔３３４とリンク部３４の第２リンク部３４２の貫通孔３４３を貫通して軸部３３５が設けられることにより、第２リンク部３４２の一方端を回動可能に支持している。
【００３４】
前記リンク部３４は、前記甲当て部１０に取り付けられる第１リンク部３４１と、第１リンク部３４１に回動可能に接続されるとともに下側支持部３３に取り付けられる第２リンク部３４１を備え、第１リンク部３４１側の端部が甲当て部１０に支持され、第２リンク部３４１側の端部が下側支持部３３に回動可能に支持される。
【００３５】
前記第１リンク部３４１は、角柱状の金属製部材であって、一方端上下方向に貫通するボルト穴が設けられている。前記第１リンク部３４１は、該ボルト穴にボルト３４１ｂが挿通されることにより甲当て下部１２の突出部１２３近傍の凹部１０２に取り付けられている。
【００３６】
また、前記第１リンク部３４１は、他方端に左右方向に貫通する貫通孔３４１ａが設けられており、他方端の貫通孔３４１ａと第２リンク部３４２の他方端の貫通孔に回動軸となる軸部３４３が挿入されることにより、他方端が第２リンク部３４２の他方端に回動可能に接続されている。
【００３７】
前記第２リンク部３４２は、一方端と他方端に左右方向に貫通する貫通孔がそれぞれ設けられた板状の金属製部材であって、下側支持部３３の右側に配置された右側第２リンク部と下側支持部３３の左側に配置された左側第２リンク部からなる。
【００３８】
前記第２リンク部３４２は、一方端の貫通孔と下側支持部３３の貫通孔３３４に回動軸となる軸部３３５が挿入されることにより、下側支持部３３に回動可能に支持されている。また、第２リンク部３４２は、上述したように、他方端の貫通孔と第１リンク部３４１の他方端の貫通孔３４１ａに回動軸となる軸部３４３が挿入されることにより、他方端が第１リンク部３４１に回動可能に接続されている。
【００３９】
前記第２リンク部３４２は、上側支持部３１と下側支持部３３が次第に近接すると、ねじ杆３２に対する角度を増大させる方向に回動する。一方、上側支持部３１と下側支持部３３が次第に離間すると、ねじ杆３２に対する角度を減少させる方向に回動する。
【００４０】
而して、ねじ杆３２が一方向に軸回転されると、上側支持部３１と下側支持部３３が次第に近接して、第２リンク部３４２がねじ杆３２に対する角度を増大させる方向に回動しながら第１リンク部３４１を押し上げることにより、第１リンク部３４１により甲当て下部１２が押し上げられて、甲当て下部１２と踵当て部２０の間隔が拡幅する。一方、ねじ杆３２が他方向に軸回転されると、上側支持部３１と下側支持部３３が次第に離間して、第２リンク部３４２がねじ杆３２に対する角度を減少させる方向に回動しながら第１リンク部３４１を引き下げることにより、第１リンク部３４１により甲当て下部１２が引き下ろされて、甲当て下部１２と踵当て部２０の間隔が収縮する。
【００４１】
これによれば、履物Ｓの甲部Ｉの内面に当接する甲当て部１０と履物Ｓの踵部Ｈの内面に当接する踵当て部２０の間隔が拡幅することにより、甲当て部１０が履物Ｓの甲部Ｉの内面を押圧するため、履物Ｓの甲部Ｉを上方向に拡張することができる。
【００４２】
このため、履物Ｓと使用者の足が上下方向に合わない場合に、履物Ｓを足の形状になじませることができ、足の各部、特に足の甲部や足裏に痛みや水膨れが生じることを防止することが可能となる。
【００４３】
次に、履物矯正具１の動作について図１〜図２を参照しつつ説明する。
【００４４】
使用者は、ねじ杆３２を持って履物Ｓの開口部Ｏから甲当て部１０と踵当て部２０を履物Ｓの内部に差し入れた後、甲当て部１０を履物Ｓの甲部Ｉの内面に当接させるとともに踵当て部２０を履物Ｓの踵部Ｈの内面に当接させる。
【００４５】
次に、図１に示すように、甲当て部１０が履物Ｓの甲部Ｉの内面に当接し、踵当て部２０が履物Ｓの踵部Ｈの内面に当接した状態を維持しながら、取っ手３２４を掴んでねじ杆３２を一方向に軸回転させる。すると、下側支持部３３が、ねじ杆３２のねじ溝３２３を上側支持部３１の側に移動することにより、上側支持部３１に次第に近接してゆく。
【００４６】
そして、図２に示すように、上側支持部３１と下側支持部３３が次第に近接すると、第２リンク部３４２がねじ杆３２に対する角度を増大させる方向に回動しながら第１リンク部３４１を押し上げることにより、第１リンク部３４１により甲当て下部１２が押し上げられて、甲当て下部１２と踵当て部２０の間隔が拡幅する。
【００４７】
これによれば、履物Ｓの甲部Ｉの内面に当接する甲当て部１０と履物Ｓの踵部Ｈの内面に当接する踵当て部２０の間隔が拡幅することにより、甲当て部１０が履物Ｓの甲部Ｉの内面を押圧するため、履物Ｓの甲部Ｉを上方向に拡張することができる。
【００４８】
一方、履物Ｓを身に付ける場合など履物矯正具１の使用を中断する際には、使用者は、取っ手３２４を掴んでねじ杆３２を他方向に軸回転させる。すると、下側支持部３３が、ねじ杆３２のねじ溝３２３を上側支持部３１の反対側に移動することにより、上側支持部３１から次第に離間してゆく。
【００４９】
そして、図１に示すように、上側支持部３１と下側支持部３３が次第に離間すると、第２リンク部３４２がねじ杆３２に対する角度を減少させる方向に回動しながら第１リンク部３４１を引き下げることにより、第１リンク部３４１により甲当て下部１２が引き下ろされて、甲当て下部１２と踵当て部２０の間隔が収縮する。
【００５０】
これによれば、履物Ｓの甲部Ｉの内面に当接する甲当て部１０と履物Ｓの踵部Ｈの内面に当接する踵当て部２０の間隔が収縮することにより、甲当て部１０が履物Ｓの甲部Ｉの内面を押圧しなくなるため、ねじ杆３２を上方向に引っ張ることにより甲当て部１０と踵当て部２０を履物Ｓから取り出すことができる。
【００５１】
なお、上記実施形態において、前記踵当て部２０は、拡縮機構３０の上側支持部３１に固定されるものとして説明したがこれに限られず、その他の構成であってもよい。
【００５２】
また、前記拡縮機構３０は、前記上側支持部３１と前記ねじ杆３２と前記下側支持部３３と前記リンク部３４とを備えるものとして説明したがこれに限られず、その他の構成であってもよい。
【００５３】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００５４】
１…履物矯正具
１０…甲当て部
１０１…当接面部
１０２…凹部
１１…甲当て上部
１１１…軸部
１２…甲当て下部
１２１…基端部
１２２…先端部
１２３…突出部
２０…踵当て部
２１…当接面部
２２…基端部
２３…先端部
２４…凹部
２４１…ガイド突起
２５…凹部
３０…拡縮機構
３１…上側支持部
３１１…ボルト
３１２…貫通孔
３１３…貫通孔
３１４…上側規制部材
３１５…下側規制部材
３２…ねじ杆
３２１…基端部
３２２…先端部
３２３…ねじ溝
３２４…取っ手
３３…下側支持部
３３１…ガイド溝
３３２…ねじ溝
３３３…突出部
３３４…貫通孔
３３５…軸部
３４…リンク部
３４１…第１リンク部
３４１ａ…貫通孔
３４１ｂ…ボルト
３４２…第２リンク部
３４３…軸部
Ｓ…履物
Ｉ…履物の甲部
Ｈ…履物の踵部
Ｏ…履物の開口部
【図１】
0003213418.tif 000003
【図２】
0003213418.tif 000004
【図３】
0003213418.tif 000005
【図４】
0003213418.tif 000006